(57)【要約】【課題】  頭部への負荷を小さくすることが可能なシステム及び装置を提供する。【解決手段】  表示システムは、頭部にＨＭＤ表示装置２００のみを装着し、受信端末１００及び表示制御装置３００を頭部より低位置に配置することができるので、頭部にかかる装置の負荷を、制御部等がヘッドマウントディスプレイとが一体となっている表示装置に比べて格段に小さく抑えることができる。これはモバイルユーザー向けの頭部装着型の表示装置に最適な構成である。また、受信端末１００とＨＭＤ表示装置２００との間のインターフェース機器としての表示制御装置３００が、受信端末１００の一側面１に対して着脱自在で、かつ、受信端末１００の一側面１に装着されたときに受信端末１００と一体化された外観を有するので、この表示制御装置３００が例えばカバンの中で引っかったりすることはなくなる。【選択図】  図４
2006005805.tif 000002
【特許請求の範囲】
【請求項１】
映像信号の出力インターフェースを有する映像信号出力装置から出力される映像信号に基づいて映像を再生するシステムであって、
前記映像信号に基づき映像を表示可能な表示部を有する頭部装着型の表示装置と、
前記映像信号出力装置に対して機械的に着脱自在で、かつ、前記映像信号出力装置に装着されたときに、前記出力インターフェースから信号の伝送が可能な入力インターフェースと、前記表示装置に前記映像信号を伝送する映像信号伝送手段と、前記入力インターフェースを介して入力された映像信号に基づき前記映像信号伝送手段を介して前記表示部に映像を表示させるための制御を行う制御部とを有する表示制御装置と
を具備することを特徴とするシステム。
【請求項２】
請求項１に記載のシステムであって、
一側面に前記出力インターフェースが設けられた前記映像信号出力装置を更に具備し、
前記表示制御装置は、前記映像信号出力装置の一側面に対する上下面間又は左右面間を挟持する一対の突部を有し、
前記映像信号出力装置の上下面又は左右面は、前記突部が係合する係合部を有することを特徴とするシステム。
【請求項３】
請求項１に記載のシステムであって、
前記映像信号出力装置は、前記映像信号を含む放送波を受信するためのアンテナ及び受信部を有することを特徴とするシステム。
【請求項４】
請求項３に記載のシステムであって、
前記放送波が、衛星から放送されたものであることを特徴とするシステム。
【請求項５】
請求項１に記載のシステムであって、
前記表示装置は、外界光の透過率を制御するための制御手段を有することを特徴とするシステム。
【請求項６】
請求項１に記載のシステムであって、
前記表示制御装置は、前記映像信号出力装置を操作するための第１の操作部を有することを特徴とするシステム。
【請求項７】
請求項６に記載のシステムであって、
前記映像信号出力装置は、折り畳み式の構造であり、かつ、折畳み時に折り込まれて操作不能な、前記映像信号出力装置を操作するための第２の操作部を有し、
前記第１の操作部は、少なくとも前記第２の操作部の一部を含むことを特徴とするシステム。
【請求項８】
請求項１に記載のシステムであって、
前記映像信号伝送手段はケーブルであり、
前記ケーブルに介在され、前記映像信号出力装置を操作するための第３の操作部を有する操作制御装置を更に具備することを特徴とすることを特徴とするシステム。
【請求項９】
請求項８に記載のシステムであって、
前記第１の操作部と前記ケーブルが取り付けられる取り付け部は、前記表示制御装置における同一の面に設けられていることを特徴とするシステム。
【請求項１０】
請求項１に記載のシステムであって、
前記表示装置は、前記表示制御装置を介して前記映像信号出力装置の電源から電力を供給されること特徴とするシステム。
【請求項１１】
請求項２に記載のシステムであって、
前記表示制御装置は、前記映像信号出力装置の一側面と対向する面とは反対側の面に前記映像信号伝送手段であるケーブルが取り付けられるケーブル取り付け部が設けられていることを特徴とするシステム。
【請求項１２】
請求項１に記載のシステムであって、
前記出力インターフェース及び入力インターフェースは、相互に物理的に接続する端子であることを特徴とするシステム。
【請求項１３】
前記出力インターフェース及び入力インターフェースは、赤外線ポートであることを特徴とするシステム。
【請求項１４】
映像信号の出力インターフェースを有する映像信号出力装置から出力される映像信号に基づいて映像を再生する装置であって、
前記映像信号に基づき映像を表示可能な表示部を有する頭部装着型の表示装置と、
前記映像信号出力装置に対して機械的に着脱自在で、かつ、前記映像信号出力装置に装着されたときに、前記出力インターフェースから信号の伝送が可能な入力インターフェースと、前記表示装置に前記映像信号を伝送する映像信号伝送手段と、前記入力インターフェースを介して入力された映像信号に基づき前記映像信号伝送手段を介して前記表示部に映像を表示させるための制御を行う制御部とを有する表示制御装置と
を具備することを特徴とする装置。
【発明の詳細な説明】
【技術分野】
【０００１】
本発明は、頭部装着型の装置及び該装置を用いたシステムに関する。
【背景技術】
【０００２】
従来、外出先等でテレビ放送等を手軽に楽しむための技術として、携帯型のＤＶＤ（Digital Versatile Disk）やテレビが普及している。しかし、テレビの画面が小さいので、映像の細部が見難く迫力に欠ける上に、テレビ等を視認し易い位置に配置して見る必要があるので、台等がない場合には、常に手に持つ等して観る必要がある。このため、例えば外出先等でハンズフリーで長時間テレビ放送を楽しむことは困難である。
【０００３】
このような問題を解決する技術として、例えば頭部装着型のヘッドマウントディスプレイ（ＨＭＤ：Head Mounted Display）を用いる技術が開示されている。例えば、特許文献１には、ＤＶＤ等の映像信号出力機器の挿入口に制御部等を有する接続ユニットを挿入し、挿入された接続ユニットの露出面にヘッドマウントディスプレイのコネクタ部を接続する技術が開示されている。ヘッドマウントディスプレイとコネクタ部とはケーブルで接続されている。
【０００４】
しかし、この技術では、映像を視聴しているときには外界を観ることができない、という問題がある。
【０００５】
これに対して、例えば、特許文献２には、眼鏡型のレンズにホログラム光学素子等を用いることで、映像を観ているときでも外界を観ることが可能な頭部装着型の映像表示装置が開示されている。
【０００６】
このため、例えば、上記特許文献１の表示ユニットを上記特許文献２に記載された頭部装着型の映像表示装置に置き換えることで、映像を観ているときでも外界を観ることが可能なシステムを構成することができる。
【特許文献１】２００２−１４２１７３号公報（段落[００１９]、図１）
【特許文献２】特開２００２−９０６８７号公報（段落[００１９]、図１）
【発明の開示】
【発明が解決しようとする課題】
【０００７】
しかしながら、上記特許文献１の技術では、ヘッドマウントディスプレイを頭部に装着したとき等に、接続ユニット等による頭部への負荷が大きくなる場合がある、という問題がある。
【０００８】
また、上記のように特許文献１と特許文献２とを組み合わせたシステムであっても、コネクタ部が映像信号出力機器の一側面から突出したような構造になるため、この部分が例えばカバンの中で引っかかること等があり、携帯及び取り扱いに不便であり、また接触不良等の原因となったりもする、という問題がある。
【０００９】
また、上記特許文献１の技術では、制御部等を有する接続ユニットがＤＶＤ等の映像信号出力機器の挿入口に挿入された構造なので、接続ユニットに操作部を設けることができず、映像信号出力機器以外に操作部を設けようとした場合には例えばケーブルに操作ユニットを介在させたり、ヘッドマウントディスプレイに設ける等の必要がある。
【００１０】
以上のような事情に鑑み、本発明の目的は、頭部への負荷を小さくすることが可能なシステム及び装置を提供することにある。
【００１１】
また、本発明の別の目的は、携帯及び取り扱いの不便さや接触不良等をなくすことができるシステム及び装置を提供することにある。
【００１２】
また、本発明の別の目的は、映像信号出力装置と表示装置との間のインターフェース機器に映像信号出力装置を操作するための操作部を設けることが可能なシステム及び装置を提供することにある。
【課題を解決するための手段】
【００１３】
上記目的を達成するため、本発明に係るシステムは、映像信号の出力インターフェースを有する映像信号出力装置から出力される映像信号に基づいて映像を再生するシステムであって、前記映像信号に基づき映像を表示可能な表示部を有する頭部装着型の表示装置と、前記映像信号出力装置に対して機械的に着脱自在で、かつ、前記映像信号出力装置に装着されたときに、前記出力インターフェースから信号の伝送が可能な入力インターフェースと、前記表示装置に前記映像信号を伝送する映像信号伝送手段と、前記入力インターフェースを介して入力された映像信号に基づき前記映像信号伝送手段を介して前記表示部に映像を表示させるための制御を行う制御部とを有する表示制御装置とを具備することを特徴とする。
【００１４】
ここで、映像信号伝送手段とは、ケーブルでもトランスミッタでも構わない。
【００１５】
本発明では、頭部に表示装置のみを装着し、映像信号出力装置及び表示制御装置を頭部より低位置に配置することができるので、頭部にかかる装置の負荷を、制御部等が表示装置とが一体となっている表示装置に比べて格段に小さく抑えることができる。これはモバイルユーザー向けの頭部装着型の表示装置に最適な構成である。また、映像信号出力装置と表示装置との間のインターフェース機器としての表示制御装置が、映像信号出力装置に対して着脱自在で、映像信号出力装置に装着されたときに映像信号出力装置と一体化された外観を有するようにすることで、この表示制御装置が例えばカバンの中で引っかったりすることはなくなる。従って、携帯及び取り扱いの不便はなくなり、また接触不良等を起こすこともなくなる。また、この表示制御装置は、露出する面が多いので、操作部を設けるための設計の自由度が高く、操作性の高い位置に操作部を設けることができる。例えば、映像信号出力装置と表示制御装置とを一体化して持ち歩くことを想定し、その場合に操作性のよい場所に操作部を設けることが可能である。従って、本発明に係るシステムは、携帯性を向上させることができる。
【００１６】
本発明の一の形態によれば、一側面に前記出力インターフェースが設けられた前記映像信号出力装置を更に具備し、前記表示制御装置は、前記映像信号出力装置の一側面に対する上下面間又は左右面間を挟持する一対の突部を有し、前記映像信号出力装置の上下面又は左右面は、前記突部が係合する係合部を有することを特徴とする。これにより、映像信号出力装置と表示制御装置とを強固に装着することができる。
【００１７】
本発明の一の形態によれば、前記映像信号出力装置は、前記映像信号を含む放送波を受信するためのアンテナ及び受信部を有することを特徴とする。これにより、映像データ等を持ち歩くことなく外出先等で最新の放送の番組等を視聴することができる。
【００１８】
本発明の一の形態によれば、前記放送波が、衛星から放送されたものであることを特徴とする。これにより、場所を選ぶことなく最新の放送の番組等を視聴することができる。
【００１９】
本発明の一の形態によれば、前記表示装置は、外界光の透過率を制御するための制御手段を有することを特徴とする。これにより、屋外で映像を観るとき等に外界光の透過率を制御することで、外界の明るさに依らずに高コントラストの映像を観ることができる。
【００２０】
本発明の一の形態によれば、前記表示制御装置は、前記映像信号出力装置を操作するための第１の操作部を有することを特徴とする。これにより、映像信号出力装置と表示制御装置とを一体化して持ち歩く場合に操作性が良好になる。
【００２１】
本発明の一の形態によれば、前記映像信号出力装置は、折り畳み式の構造であり、かつ、折畳み時に折り込まれて操作不能な、前記映像信号出力装置を操作するための第２の操作部を有し、前記第１の操作部は、少なくとも前記第２の操作部の一部を含むことを特徴とする。これにより、折畳んだ映像信号出力装置と表示制御装置とを一体化して持ち歩く場合に映像信号出力装置を開いて操作する必要がないので、操作性が良好になる。
【００２２】
本発明の一の形態によれば、前記映像信号伝送手段はケーブルであり、前記ケーブルに介在され、前記映像信号出力装置を操作するための第３の操作部を有する操作制御装置を更に具備することを特徴とする。これにより、映像信号出力装置と表示制御装置を例えばカバンに入れた状態であっても操作制御装置により操作可能であるので、操作性が更に良好になる。
【００２３】
本発明の一の形態によれば、前記第１の操作部と前記ケーブルが取り付けられる取り付け部は、前記表示制御装置における同一の面に設けられていることを特徴とする。これにより、映像信号出力装置と表示制御装置をカバンや専用ケースに入れた場合に、通常ケーブルの取り付け部の面がカバンや専用ケースの開放側に位置することになるので、操作部へのアクセスが容易であり、操作性に優れたものとなる。
【００２４】
本発明の一の形態によれば、前記表示装置は、前記表示制御装置を介して前記映像信号出力装置の電源から電力を供給されること特徴とする。これにより、表示装置に電源を持たせる必要がなくなり、表示装置をより軽量化することが可能となる。
【００２５】
本発明の一の形態によれば、前記表示制御装置は、前記映像信号出力装置の一側面と対向する面とは反対側の面に前記映像信号伝送手段であるケーブルが取り付けられるケーブル取り付け部が設けられていることを特徴とする。これにより、他の面にケーブルを取り付けた場合に比べて全体をコンパクト化することが可能となる。また、ケーブルを折り曲げることが少なくなるので、断線等による故障を防止することが可能となる。
【００２６】
本発明の一の形態によれば、前記出力インターフェース及び入力インターフェースは、相互に物理的に接続する端子であることを特徴とする。これにより、出力インターフェース及び入力インターフェースを安価にかつ信頼性高く構成することができる。
【００２７】
本発明の一の形態によれば、前記出力インターフェース及び入力インターフェースは、赤外線ポートであることを特徴とする。これにより、映像信号出力装置と表示制御装置との間の着脱が容易になり、また接触不良等もなくなり、更に映像信号出力装置だけで用いるときに外観上見栄えのよいものとなる。
【００２８】
本発明に係る装置は、映像信号の出力インターフェースを有する映像信号出力装置から出力される映像信号に基づいて映像を再生する装置であって、前記映像信号に基づき映像を表示可能な表示部を有する頭部装着型の表示装置と、前記映像信号出力装置に対して機械的に着脱自在で、かつ、前記映像信号出力装置に装着されたときに、前記出力インターフェースから信号の伝送が可能な入力インターフェースと、前記表示装置に前記映像信号を伝送する映像信号伝送手段と、前記入力インターフェースを介して入力された映像信号に基づき前記映像信号伝送手段を介して前記表示部に映像を表示させるための制御を行う制御部とを有する表示制御装置とを具備することを特徴とする。
【００２９】
本発明では、頭部に表示装置のみを装着し、映像信号出力装置及び表示制御装置を頭部より低位置に配置することができるので、頭部にかかる装置の負荷を、制御部等が表示装置とが一体となっている表示装置に比べて格段に小さく抑えることができる。これはモバイルユーザー向けの頭部装着型の装置に最適な構成である。また、映像信号出力装置と表示装置との間のインターフェース機器としての表示制御装置が、映像信号出力装置に対して着脱自在で、映像信号出力装置に装着されたときに映像信号出力装置と一体化された外観を有するようにすることで、この表示制御装置が例えばカバンの中で引っかったりすることはなくなる。従って、携帯及び取り扱いの不便はなくなり、また接触不良等を起こすこともなくなる。また、この表示制御装置は、露出する面が多いので、操作部を設けるための設計の自由度が高く、操作性の高い位置に操作部を設けることができる。例えば、映像信号出力装置と表示制御装置とを一体化して持ち歩くことを想定し、その場合に操作性のよい場所に操作部を設けることが可能である。従って、本発明に係る装置は、携帯性を向上させることができる。
【発明の効果】
【００３０】
以上のように、本発明によれば、表示装置による頭部への負荷を小さくすることができると共に、携帯及び取り扱いの不便さや接触不良等をなくすことができ、また映像信号出力装置と表示装置との間のインターフェース機器に映像信号出力装置を操作するための操作部を設けることが可能なので、携帯性に優れたシステム及び装置を提供することができる。
【発明を実施するための最良の形態】
【００３１】
以下、本発明に係る実施の形態を図面を参照して説明する。
【００３２】
図１は本発明の第１の実施の形態に係る表示システムを示す概略構成図である。
【００３３】
図１に示すように、本実施形態の表示システムは、衛星放送波を受信し映像を再生可能な映像信号出力装置としての受信端末１００と、頭部装着型のＨＭＤ表示装置２００と、受信端末１００及びＨＭＤ表示装置２００を接続可能な表示制御装置３００とを備えている。
【００３４】
ＨＭＤ表示装置２００は、２枚の透明板を有する眼鏡形状であり、一方の透明板の上端には光学ユニット１０１が設けられている。ＨＭＤ表示装置２００のフレームには耳に接触する位置にイヤホン１０２が設けられている。表示制御装置３００は、ケーブル２１０と、受信端末１００に接続されるコネクタ部２２０とを備えている。ケーブル２１０の他端は、ＨＭＤ表示装置２００に着脱自在とされている。
【００３５】
図２は第１の実施の形態に係る表示システムの受信端末とＨＭＤ表示装置との接続部を示す斜視図である。
【００３６】
受信端末１００の一側面１には、音声、映像信号を出力すると共に電力を供給可能な出力インターフェースである出力端子２が設けられている。受信端末１００の一側面１に対する左右面には、一側面１に直交する方向に溝状の係合部３０が設けられている。
【００３７】
ＨＭＤ表示装置２００のコネクタ部２２０は、一側面１と対向する面２１８に出力インターフェースである入力端子２１１が設けられている。この面２１８とは反対側の面２１２には、操作部としての電源のＯＮ／ＯＦＦ切り替え用のスイッチ２１３、音声ボリューム調節用のスイッチ２１４及び受信した放送番組のチャンネル切り替え用のスイッチ２１５が設けられている。コネクタ部２２０の内部には、出力端子２から出力された音声信号や映像信号を処理可能な図示を省略した基板が設けられている。コネクタ部２２０の面２１２には、例えばケーブル２１０の取り付け部２１９が設けられており、ケーブル２１０の他端部がこの取り付け部２１９に取り付けられている。すなわち、スイッチ２１３、スイッチ２１４及び２１５と、ケーブル２１０の取り付け部２１９は、コネクタ部２２０における同一の面２１２に設けられている。
【００３８】
コネクタ部２２０の両側面には、面２１２に直交する方向に突出する突部２１６が設けられている。突部２１６の先端部には、バネ部材が設けられている。受信端末１００と、コネクタ部２２０とが接続されたときに、突部２１６が係合部３０に嵌合し突部２１６及びバネ部材により両側から受信端末１００を挟持するように構成されている。このとき、受信端末１００からケーブル２１０を介して音声信号、映像信号及び電力を供給するために、出力端子２及び入力端子３が接続されるように構成されている。
【００３９】
受信端末１００にコネクタ部２２０を装着したときに、受信端末１００とコネクタ部２２０とは、一体化された外観を有するように形状が設定されている。すなわち、装着時に、従来のようにコネクタ部が受信端末１００等に対して突出するのではなく、受信端末１００の外面と、コネクタ部２２０の外面とが滑らかに連続するように設定されている。これにより、受信端末１００にコネクタ部２２０を装着したときに、全体が略直方体状となる。
【００４０】
図３は第１の実施の形態に係る表示システムの受信端末の使用時の斜視図である。
【００４１】
受信端末１００は、折り畳み可能に構成されている。図３は受信端末１００の蓋を開いた状態を示す。受信端末１００には、各部に電力を供給するための電源部４、衛星放送波を受信可能な受信部５、開閉状態に関わらず操作入力可能な操作入力部６、開いた状態のときのみ操作可能な操作入力部７、映像を表示可能な表示部８、音声を出力するためのスピーカ９等を備えている。
【００４２】
図４は第１の実施の形態に係る表示システムのブロック図である。
【００４３】
受信端末１００は、出力端子２、衛星放送波を受信するためのアンテナが内蔵された受信部５、操作入力部６、７、表示部８、スピーカ９、音声再生処理部１０、映像再生処理部１１、マイクロプロセッサ１２を備えている。出力端子２は、音声再生処理部１０に接続された音声出力端子１３、映像再生処理部１１に接続された映像出力端子１４及び電力を供給するための電源出力端子１５を備えている。これらの端子は、相互に物理的に接続されている。
【００４４】
受信部５は、受信した信号を復調したりするために用いられている。音声再生処理部１０、映像再生処理部１１は、それぞれ受信部５で復調した音声、映像信号をデコードしたりするために用いられている。音声再生処理部１０及び映像再生処理部１１は、音声映像信号を出力するための出力端子２に接続されている。すなわち、音声再生処理部１０は音声出力端子１３に接続され、映像再生処理部１１は映像出力端子１４に接続されている。補助記憶部１６は、映像、データを記憶しておくために用いられている。操作入力部６は、受信端末１００の電源スイッチである。操作入力部７は、衛星放送のチャンネルＣＨを選択したり音声ボリュームを調節したりするために用いられている。表示部８は、映像再生処理部１１で処理された映像を表示するために用いられている。電源部４は各部に電力を供給するために各部に接続されていると共に、電力を供給するための電源出力端子１５に接続されている。マイクロプロセッサ１２は、全体の制御をするために用いられている。
【００４５】
コネクタ部２２０は、音声ボリューム制御部２０１、ＨＭＤ表示制御部２０２、電源切り替え制御部２０３、チャンネル信号発生部２０４及び入力端子２１１を備えている。入力端子２１１は、音声出力端子１３に接続される音声入力端子２２１、映像出力端子１４に接続される映像入力端子２２２及び電源出力端子１５に接続される電源入力端子２２３を備えている。
【００４６】
音声ボリューム制御部２０１は、音声入力端子２２１を介して入力された音声信号に基づき音声ボリュームを制御するために用いられる。ＨＭＤ表示制御部２０２は、映像入力端子２２２を介して入力された映像信号に基づき映像信号を制御するために用いられている。電源切り替え制御部２０３は、例えば電源部４に電源入力端子２２３を介して接続されており、電源切り替え制御部２０３に接続されたスイッチ２１３を切り替えることで、コネクタ部２２０側から受信端末１００の電源のオンオフ切り替えをすることができるように構成されている。チャンネル信号発生部２０４は、スイッチ２１５からの入力信号を受信端末１００側に出力することができるように構成されている。
【００４７】
ＨＭＤ表示装置２００のイヤホン１０２は、音声ボリューム制御部２０１に接続され、イヤホン１０２から音声を出力することができるように構成されている。光学ユニット１０１は、ＨＭＤ表示制御部２０２に接続されており、光学ユニット１０１で映像を表示することができるように構成されている。
【００４８】
図５は第１の実施の形態に係る表示システムのＨＭＤ表示装置の光学ユニットを示す側面図である。
【００４９】
ＨＭＤ表示装置２００の光学ユニット１０１は、透過型の液晶表示器（Liquid Crystal Display）１０３、レンズ１０４及び発光ダイオード（ＬＥＤ）１０５が図示を省略した筐体に収容されている。レンズ１０４は、ＬＥＤ１０５から発光された光をＬＣＤ１０３の全面に均一に導くために用いられている。透明板１０７の上端部は、上端に近づくほど前面側に膨らむくさび状とされており、このくさび状の部位を前後から挟むようにして筺体が固定されている。ＬＣＤ１０３、レンズ１０４及びＬＥＤ１０５は、ＬＣＤ１０３によって変調された光が、透明板１０７の上端面から入射し後面に達した光が全反射されるように設けられている。後面で反射された光は前面でも全反射され、透明板１０７内で数回の全反射を繰り返してコンバイナ１０６に入射するように設定されている。
【００５０】
コンバイナ１０６は、反射する光に対してのみ作用する反射型のホログラム素子であり、透過する光にはほとんど影響を及ぼさない。コンバイナ１０６は、ＬＣＤ１０３からの光を反射して右眼Ｅに導くとともに、ＬＣＤ１０３からの光が表す映像を拡大するように設定されている。右眼Ｅには透明板１０７とコンバイナ１０６を透過する外界からの光も導かれる。右眼Ｅには、外界の像とその中央部に重なるＬＣＤ１０３の映像の拡大像が提供されることになる。なお、使用者の左眼には外界の像のみが提供される。
【００５１】
ホログラム素子は、波長選択性が高いため、光をほとんど失うことなく反射したり透過させたりする設定とすることが可能である。また、平面状であっても、反射光または透過光を所望の倍率で拡大させる設定とすることが容易である。なお、拡大光学系と組み合わせることにより、コンバイナ１０６としてハーフミラーを用いることも可能である。
【００５２】
次に本実施形態の表示システムの動作について図面を参照しながら説明する。
【００５３】
受信端末１００と、コネクタ部２２０とを接続すると、突部２１６が係合部３０に嵌合し受信端末１００にコネクタ部２２０が装着される。
【００５４】
これにより、音声出力端子１３と音声入力端子２２１が接続され、映像出力端子１４と映像入力端子２２２とが接続され、電源出力端子１５と電源入力端子２２３とが接続される。
【００５５】
受信端末１００のマイクロプロセッサ１２は、受信端末１００がＨＭＤ表示装置２００に接続されているか否かを、例えば図示を省略したメカ的なスイッチからの信号により判断する。このスイッチは、例えば電源出力端子１５に電源入力端子２２３が挿入されたときに、接続されていることを示す信号を生成するように設定されている。接続されたと判断されたときには、受信端末１００の電源部４からＨＭＤ表示装置２００側に電力が供給される。
【００５６】
これによって、受信端末１００は、受信部５で音声映像信号を復調し、復調された信号を音声再生処理部１０、映像再生処理部１１に送信し、音声再生処理部１０、映像再生処理部１１でこの復調した信号をデコードし、音声ボリューム制御部２０１、ＨＭＤ表示制御部２０２を介してイヤホン１０２で音声を出力したり、光学ユニット１０１で映像を表示したりする。
【００５７】
以上のように、本実施形態の表示システムは、頭部にＨＭＤ表示装置２００のみを装着し、受信端末１００及び表示制御装置３００を頭部より低位置に配置することができるので、頭部にかかる装置の負荷を、制御部等がヘッドマウントディスプレイとが一体となっている表示装置に比べて格段に小さく抑えることができる。これはモバイルユーザー向けの頭部装着型の表示装置に最適な構成である。また、受信端末１００とＨＭＤ表示装置２００との間のインターフェース機器としての表示制御装置３００が、受信端末１００の一側面１に対して着脱自在で、かつ、受信端末１００の一側面１に装着されたときに受信端末１００と一体化された外観を有するので、この表示制御装置３００が例えばカバンの中で引っかったりすることはなくなる。従って、携帯及び取り扱いの不便はなくなり、また接触不良等を起こすこともなくなる。また、この表示制御装置３００は、露出する面が多いので、スイッチ２１３、２１４及び２１５を設けるための設計の自由度が高く、操作性の高い位置にスイッチ２１３、２１４及び２１５を設けることができる。例えば、受信端末１００と表示制御装置３００とを一体化して持ち歩くことを想定し、その場合に操作性のよい場所にスイッチ２１３、２１４及び２１５を設けることが可能である。従って、本発明に係る表示システムは、携帯性を向上させることができる。
【００５８】
本実施形態に係るシステムでは、かかる作用効果に加えて以下の作用効果も奏する。
（１）表示制御装置３００は、受信端末１００の一側面１に対する左右面間を挟持する一対の突部２１６を備え、受信端末１００の左右面には、突部２１６が係合する係合部３０が設けられている。これにより、受信端末１００と表示制御装置３００とを強固に装着することができる。
（２）受信端末１００は、映像信号を含む放送波を受信するためのアンテナ及び受信部５を備えている。このため、映像データ等を持ち歩くことなく外出先等で最新の放送の番組等を視聴することができる。また、受信部５は衛星から放送された衛星放送波も受信することができる。このため、場所を選ぶことなく最新の衛星放送の番組等を視聴することができる。
（３）表示制御装置３００には、受信端末１００を操作するためのスイッチ２１３、２１４及び２１５が設けられている。このため、受信端末１００と表示制御装置３００とを一体化して持ち歩く場合に操作性が良好になる。
（４）スイッチ２１３、２１４及び２１４とケーブル２１０の取り付け部２１９は、表示制御装置３００における同一の面２１２に設けられている。このため、受信端末１００と表示制御装置３００をカバンや専用ケースに入れた場合に、通常ケーブル２１０の取り付け部２１９の面２１２がカバンや専用ケースの開放側に位置することになるので、スイッチ２１３等へのアクセスが容易であり、操作性に優れたものとなる。
（５）ＨＭＤ表示装置２００は、表示制御装置３００を介して受信端末１００の電源部４から電力を供給される。このため、ＨＭＤ表示装置２００に電源を持たせる必要がなくなり、ＨＭＤ表示装置２００をより軽量化することが可能となる。
（６）表示制御装置３００は、受信端末１００の一側面１と対向する面２１８とは反対側の面２１２にケーブル２１０の取り付け部２１９が設けられている。このため、他の面にケーブル２１０を取り付けた場合に比べて全体をコンパクト化することが可能となる。また、ケーブル２１０を折り曲げる機会が少なくなるので、断線等による故障を防止することが可能となる。
（７）音声出力端子１３、映像出力端子１４、電源出力端子１５及び音声入力端子２２１、映像入力端子２２２、電源入力端子２２３は、相互に物理的に接続する端子である。このため、出力インターフェース及び入力インターフェースを安価にかつ信頼性高く構成することができる。
（８）音声出力端子１３、映像出力端子１４、電源出力端子１５は３つバラバラではなく１つにまとめられているので、接続動作が容易となる。なお、コネクタをバラバラにする場合には、既存の規格を用いることができるので、低コストで汎用性のあるシステムを構成することができる。この場合にも、突部２１６及び係合部３０により容易に接続することができる。
【００５９】
次に本発明に係る第２の実施の形態の表示システムについて異なる箇所を中心に図面を用いて説明する。
【００６０】
図６は本発明の第２の実施の形態に係る表示システムを示す概略構成図、図７は第２の実施の形態に係る表示システムの映像再生装置とＨＭＤ表示装置との接続部を示す斜視図である。
【００６１】
本実施形態では、受信端末１００を用いる代わりにポータブルＤＶＤプレーヤ９０が用いられ、表示制御装置３００の代わりに表示制御装置７０が用いられている。表示制御装置７０は、表示制御装置７０とポータブルＤＶＤプレーヤ９０とを接続するためのケーブル７１と、ケーブル７１の一端部に設けられたコネクタ部７２とを備えている。
【００６２】
図７に示すように、ポータブルＤＶＤプレーヤ９０の上面には、蓋を折り畳んだ状態で外側から音声ボリューム等を操作するための操作入力部８６が設けられている。ポータブルＤＶＤプレーヤ９０の一側面８１には、音声出力端子８２、映像出力端子８３及び電源出力端子８４が設けられている。表面の一側面８１の側には、溝状の係合部８５が設けられている。
【００６３】
接続時に一側面８１と対向するコネクタ部７２の面には、音声出力端子８２、映像出力端子８３及び電源出力端子８４に接続される音声入力端子７４、映像入力端子７５及び電源入力端子７６が設けられている。コネクタ部７２は、ポータブルＤＶＤプレーヤ９０の一側面８１側を上下から挟持するための突部７７、７８が設けられている。この突部７７には、接続時に係合部８５に案内されるレール７９が設けられている。一側面８１に対向するコネクタ部７２の面７３とは反対側の面７３には、ケーブル７１が接続されている。
【００６４】
図８は第２の実施の形態に係る表示システムのブロック図である。
【００６５】
ポータブルＤＶＤプレーヤ９０の音声出力端子８２、映像出力端子８３及び電源出力端子８４は、それぞれコネクタ部７２の音声入力端子７４、映像入力端子７５及び電源入力端子７６に接続されている。コネクタ部７２には、映像入力端子７５を介して入力された映像信号を制御するＨＭＤ表示制御部７Ｂが設けられている。ポータブルＤＶＤプレーヤ９０の電源部から電源出力端子８４、電源入力端子７６を介してＨＭＤ表示制御部７Ｂに電力が供給されるように構成されている。音声入力端子７４は、ＨＭＤ表示装置３０のイヤホン２２に接続されており、ＨＭＤ表示制御部７Ｂは、光学ユニット２１に接続されている。これにより、イヤホン２２で音声を出力し、光学ユニット２１で映像を表示することができるように構成されている。
【００６６】
以上のように、本実施形態の表示システムは、表示制御装置７０をポータブルＤＶＤプレーヤ９０の一側面８１に装着するときに、突部７７、７８により上下からポータブルＤＶＤプレーヤ９０を挟持することができる。このとき、上記第１の実施形態に比べて突部７７、７８とポータブルＤＶＤプレーヤ９０との接触面積が大きくなるように突部７７、７８が大きく設けられているので、より強固に一体化することができる。
【００６７】
次に本発明に係る第３の実施の形態の表示システムについて異なる箇所を中心に図面を用いて説明する。
【００６８】
図９は第３の実施の形態に係る表示システムの概観斜視図、図１０は第３の実施の形態に係る表示システムの映像表示装置とＨＭＤ表示装置との接続部を示す斜視図である。
【００６９】
本実施形態では、受信端末１００の代わりにテレビ付携帯電話２４０が用いられ、表示制御装置３００の代わりに表示制御装置２６０が用いられている。テレビ付携帯電話２４０は、地上波アナログ放送、地上波デジタル放送、移動体向け衛星デジタル放送の少なくとも１つの信号を受信可能である。
【００７０】
表示制御部２６０は、ケーブル２４１、操作制御装置２５０及びコネクタ部２７０を備えている。操作制御装置２５０は、ケーブル２４１に介在している。ケーブル２４１は、ＨＭＤ表示装置２００とコネクタ部２７０とを接続するために用いられている。操作制御装置２５０には、チャンネルＣＨを選択するためのチャンネルボタン２４４及び音声ボリュームの調節を行うためのスイッチ２４５が設けられており、ＨＭＤ表示装置２００に電力を供給可能な電源部２４６が内蔵されている。コネクタ部２７０には、電源部２６１が設けられており、図１０に示すように音声及び映像信号を入力するための入力端子２６２が設けられている。また、コネクタ部２７０の先端部には、図示を省略したバネ製の抜け止め機構が設けられている。
【００７１】
図１０に示すように、テレビ付携帯電話２４０は、折り畳み式の構造であり、映像信号を含む放送波を受信するアンテナ２３５、映像を表示可能な表示部２３６、折畳み時に折り込まれて操作不能な、テレビ付携帯電話２４０を操作するための操作入力部２３７及び一側面２３９に設けられた音声及び映像信号を出力するための出力端子２３８を備えている。一側面２３９に対向する面の反対側の面２６７にケーブル２４１が接続されている。
【００７２】
図１１は第３の実施の形態に係る表示システムのブロック図である。
【００７３】
テレビ付携帯電話２４０の音声出力端子２７５、映像出力端子２７６及び電源出力端子２７７はそれぞれコネクタ部２７０の音声入力端子２７８、映像入力端子２７９及び電源入力端子２８０に接続されている。電源入力端子２８０を介してテレビ付携帯電話２４０側からコネクタ部２７０のＨＭＤ表示制御部２６３に電力を供給したり、コネクタ部２７０の電源部２６１からＨＭＤ表示制御部２６３に電力を供給したりすることができるように構成されている。
【００７４】
操作制御装置２５０は、音声ボリューム制御部２４７、チャンネル信号発生部２４８、電源部２８２を備えている。音声ボリューム制御部２４７は、音声入力端子２７８に接続されており、ＨＭＤ表示装置２００のイヤホン１０２の音量を調節することができるように構成されている。電源部２８２は、音声ボリューム制御部２４７、チャンネル信号発生部２４８に電力を供給することができるように構成されている。チャンネル信号発生部２４８は、チャンネルボタン２４４からの入力信号をテレビ付携帯電話２４０側に出力することができるように構成されている。
【００７５】
以上のように、本実施形態の表示システムは、ケーブル２４１中に操作制御装置２５０が設けられ、操作制御装置２５０に電源部２４６が設けられている。このため、テレビ付携帯電話２４０のように電力の供給に不向きな装置に接続する場合でも、電力を安定してＨＭＤ表示装置２００側に供給することができるので、テレビ付携帯電話２４０の負荷を抑えることができる。また、コネクタ部２７０が電源部２６１を備えているので、電源部２４６のバッテリがきれたとき等に、電源部２６１からＨＭＤ表示装置２００側に電力を供給したりすることができる。更に、テレビ付携帯電話２４０を鞄の中に収容した場合でも操作制御装置２５０を取り出して操作することができるので、携帯時の操作性を向上させることができる。
【００７６】
本実施形態の表示システムでは、操作制御装置２５０がケーブル２４１中に介在して設けられている。これにより、テレビ付携帯電話２４０とコネクタ部２７０とを一体にして例えば鞄の中に収容した場合でも、操作制御装置２５０を鞄の外に出して操作することで携帯時の操作性を向上させることができる。
【００７７】
本実施形態では、スイッチ２４４、２４５を操作することで、テレビ付携帯電話２４０を操作しＨＭＤ表示装置２００に異なるチャンネルの放送を表示させることができる。このため、折畳んだテレビ付携帯電話２４０と表示制御装置２６０とを一体化して持ち歩く場合に、テレビ付携帯電話２４０を開いて操作する必要がないので、操作性が良好になる。
【００７８】
次に本発明に係る第４の実施の形態の表示システムについて異なる箇所を中心に図面を用いて説明する。
【００７９】
図１２は第４の実施の形態に係る表示システムのブロック図である。
【００８０】
本実施形態では、受信端末１００に代えて赤外線ポートとなる赤外線発光部２Ａ等を備えた受信端末４００が用いられ、表示制御装置３００の代えて赤外線受光部２Ｂを備えた表示制御装置３２０が用いられている。
【００８１】
受信端末４００の音声再生処理部１０及び映像再生処理部１１は赤外線発光部２Ａのそれぞれ発光素子Ｐ１、Ｐ２に接続されている。発光素子Ｐ１、Ｐ２は、音声再生処理部１０及び映像再生処理部１１からの音声信号、映像信号を赤外線信号に変調するために用いられている。
【００８２】
表示制御装置３２０は、音声ボリューム制御部３０１、ＨＭＤ表示制御部３０２、電源部３０３、チャンネル信号発生部３０４及び液晶シャッター２９１を制御するための液晶シャッター制御部３０５が設けられている。液晶シャッター２９１は、ＨＭＤ表示装置２００に入射する光量を制御するために用いられている。
【００８３】
表示制御装置３２０には、図示を省略した濃度切り替えスイッチが設けられており、この濃度切り替えスイッチの切り替えにより液晶シャッター制御部３０５が液晶シャッター２９１の液晶の濃度を制御できるように構成されている。
【００８４】
赤外線受光部２Ｂには、発光素子Ｐ１、Ｐ２からの赤外線を受光可能な受光素子Ｒ１、Ｒ２が設けられており、電源出力端子１５は、電源入力端子３０６に接続されている。
【００８５】
チャンネル信号発生部３０４は、チャンネル信号発生部３０４からのチャンネル信号を赤外線信号に変調する発光素子Ｐ３に接続されており、受信端末４００は発光素子Ｐ３で発光された赤外線信号を受光し復調する受光素子Ｒ３を備えている。
【００８６】
次に本実施形態のシステムの動作について図面を参照しながら上記実施形態と異なる箇所を中心に説明する。
【００８７】
受信端末４００の音声再生処理部１０、映像再生処理部１１からそれぞれ音声信号、映像信号が出力されると、発光素子Ｐ１、Ｐ２は、それぞれ音声信号、映像信号を赤外線信号に変調する。表示制御装置３２０の受光素子Ｒ１、Ｒ２はそれぞれ発光素子Ｐ１、Ｐ２からの赤外線信号を受光し復調する。これにより、受信端末４００側から表示制御装置３２０側へ音声、映像信号が出力され、チャンネル信号発生部３０４から受信端末４００側にチャンネル信号が出力される。
【００８８】
以上のように、本実施形態の表示システムは、発光素子Ｐ１、Ｐ２及び受光素子Ｒ１、Ｒ２を用いて音声信号、映像信号の出力が行われる。これにより、例えば音声出力端子や音声入力端子等がない構造とすることができるので、携帯時に音声出力端子や音声入力端子に負荷がかかり破損したりすることを防止することができる。また、受信端末４００と表示制御装置３２０との間の着脱が容易になり、また接触不良等もなくなり、更に受信端末４００だけで用いるときに外観上見栄えのいいものとなる。
【００８９】
本実施形態の表示システムは、ＨＭＤ表示装置２００は、外界光の透過率を制御するための液晶シャッター２９１を備えている。これにより、屋外で映像を観るとき等に外界光の透過率を制御することで、方角に依らずに高コントラストの映像を観ることができる。
【００９０】
本発明は以上説明した実施の形態などには限定されるものではなく、種々の変形が可能である。
【００９１】
上記第４の実施形態では、液晶シャッター２９１を備えているＨＭＤ表示装置２００を例示した。しかし、これに限定されず、例えば、外付けのＮＤフィルタ（neutral density filter）等を用いるようにしてもよい。これにより、受信端末１００等により映像を観るときに、映像を見易くすることができる。
【００９２】
なお、上記第１の実施形態では、ＨＭＤ表示装置２００と、表示制御装置３００とをケーブル２１０を介して接続する例を示した。しかし、ケーブル２１０を用いる代わりに例えば低出力のトランスミッタを用いるようにしてもよい。すなわち、有線でも無線でも適用可能である。
【００９３】
また、上記実施形態では、映像信号出力装置として受信端末１００、ポータブルＤＶＤプレーヤ９０及びテレビ付携帯電話２４０を例示した。しかし、映像信号出力装置はこれらに限定されず例えばビデオデッキ等を例示することができる。
【図面の簡単な説明】
【００９４】
【図１】本発明の第１の実施の形態に係る表示システムを示す概略構成図である。
【図２】第１の実施の形態に係る表示システムの受信端末とＨＭＤ表示装置との接続部を示す斜視図である。
【図３】第１の実施の形態に係る表示システムの受信端末の使用時の斜視図である。
【図４】第１の実施の形態に係る表示システムのブロック図である。
【図５】第１の実施の形態に係る表示システムのＨＭＤ表示装置の光学ユニットを示す側面図である。
【図６】本発明の第２の実施の形態に係る表示システムを示す概略構成図である。
【図７】第２の実施の形態に係る表示システムの映像再生装置とＨＭＤ表示装置との接続部を示す斜視図である。
【図８】第２の実施の形態に係る表示システムのブロック図である。
【図９】本発明の第３の実施の形態に係る表示システムを示す概略構成図である。
【図１０】第３の実施の形態に係る表示システムの映像表示装置とＨＭＤ表示装置との接続部を示す斜視図である。
【図１１】第３の実施の形態に係る表示システムのブロック図である。
【図１２】第４の実施の形態に係る表示システムのブロック図である。
【符号の説明】
【００９５】
１…一側面
５…受信部
３０…係合部
１３…音声出力端子
１４…映像出力端子
１５…電源出力端子
１００…受信端末
２００…ＨＭＤ表示装置
３００…表示制御装置
２２１…音声入力端子
２２２…映像入力端子
２２３…電源入力端子
２１０…ケーブル
２１６…突部
【図１】
2006005805.tif 000003
【図２】
2006005805.tif 000004
【図３】
2006005805.tif 000005
【図４】
2006005805.tif 000006
【図５】
2006005805.tif 000007
【図６】
2006005805.tif 000008
【図７】
2006005805.tif 000009
【図８】
2006005805.tif 000010
【図９】
2006005805.tif 000011
【図１０】
2006005805.tif 000012
【図１１】
2006005805.tif 000013
【図１２】
2006005805.tif 000014